(57)【特許請求の範囲】
【請求項１】
フラット・ディスプレイのフリッカ・バランスを調整するフリッカ・バランス調整方法であって、
イ）  前記フラット・ディスプレイ上の概して中央の点を通る概して１つの線上の互いに離間した第１の点と第２の点におけるフリッカ値を測定するフリッカ値測定ステップであって、前記第１点と前記第２点は、前記中央点の互いに反対側にある、前記のフリッカ値測定ステップと、
ロ）  前記第１点のフリッカ値と前記第２点のフリッカ値との差を得る差獲得ステップと、
ハ）  前記差に基づいて前記フリッカ・バランスを調整する調整ステップと、
を備えたフリッカ・バランス調整方法。
【請求項２】
請求項１記載の方法であって、
前記フリッカ値測定ステップは、
イ）  前記フラット・ディスプレイ上で、前記１つの線を複数の異なった方向にしたときにおける、前記第１点と第２点のフリッカ値の対を複数得るステップと、
ロ）  前記複数対の内、前記第１点のフリッカ値と前記第２点のフリッカ値との差が最大となる対が得られる方向の前記１つの線を決定するステップと、
を含むこと、
を特徴とするフリッカ・バランス調整方法。
【請求項３】
請求項２記載の方法において、
前記１つの線の方向は、矩形の前記フラット・ディスプレイの２つの対角方向、水平方向のいずれかを少なくとも含むこと、
を特徴とするフリッカ・バランス調整方法。
【請求項４】
請求項１記載の方法であって、
前記フリッカ値測定ステップは、
イ）  前記フラット・ディスプレイ全面のフリッカ値の分布を得るステップと、
ロ）  前記フリッカ値分布中の最大点と最小点を含む方向の前記の１つの線を決定するステップと、
を含むこと、
を特徴とするフリッカ・バランス調整方法。
【請求項５】
請求項１記載の方法において、
前記調整ステップは、
前記差が第１の所定のしきい値以下になる方向に調整するステップ、
を含むこと、を特徴とするフリッカ・バランス調整方法。
【請求項６】
フラット・ディスプレイのフリッカ調整を行うフリッカ調整方法であって、請求項１から５のいずれかに記載のフリッカ・バランス調整方法の前に、
イ）  前記フラット・ディスプレイ上の前記中央点におけるフリッカ値を測定するステップと、
ロ）  前記中央点におけるフリッカ値が第２の所定のしきい値以下となるように前記フラット・ディスプレイを調整するステップと、
を含むフリッカ調整方法。
【請求項７】
フラット・ディスプレイのフリッカ・バランスを調整するフリッカ・バランス調整装置であって、
イ）  前記フラット・ディスプレイ上の概して中央の点を通る概して１つの線上の互いに離間した第１の点と第２の点上のそれぞれの輝度を検出して第１と第２の輝度信号を発生する、第１と第２の光センサであって、前記第１点と前記第２点は前記中央点の互いに反対側にあり、前記の第１と第２の光センサと、
ロ）  前記第１と第２の輝度信号から、前記第１点の第１のフリッカ値と前記第２点の第２のフリッカ値を得て、これらフリッカ値の差を得るフリッカ・バランス測定回路と、
を備えたフリッカ・バランス調整装置。
【請求項８】
フラット・ディスプレイのフリッカ調整を行うフリッカ調整装置であって、請求項７記載のフリッカ・バランス調整装置に加えて、
イ）  前記フラット・ディスプレイ上の前記中央点上の輝度を検出して第３の輝度信号を発生する第３の光センサと、
ロ）  前記第３輝度信号から前記中央点における第３のフリッカ値を得るフリッカ値測定回路と、
を含むフリッカ調整装置。
【請求項９】
請求項８記載の装置において、
前記第１、第２および第３のセンサは、直線の支持部材上に可動に配置したこと、
を特徴とするフリッカ調整装置。
【請求項１０】
請求項９記載の装置において、
前記支持部材は、前記フラット・ディスプレイの面上で可動に配置すること、
を特徴とするフリッカ調整装置。
【発明の詳細な説明】
【０００１】
【発明の属する技術分野】
本発明は、液晶パネル等のフラット・ディスプレイにおけるフリッカ調整に関し、特にフリッカのバランスを調整するのに使用できるフリッカ・バランス調整の方法および装置に関するものである。
【０００２】
【従来の技術】
従来、液晶パネルや、プラズマ・ディスプレイ・パネル（ＰＤＰ）等のフラット・ディスプレイのフリッカ・バランスの調整は、フリッカ調整要員が目視によって行っているのが通常である。その理由は、例えば液晶パネルでは、フリッカ値は、パネル面上で一定ではなく、個々の液晶パネル製品毎に異なったフリッカ値分布を有していることが多いからである。このため、例えばパネル中央の１点でのフリッカ値に基づく液晶パネルのフリッカ調整のみでは不十分であり、また液晶パネル全体から人間が受けるフリッカの度合いが最終的に製品として重要であるため、フリッカ調整要員がフリッカ調整量を最終的に決定している。
【０００３】
【発明が解決しようとする課題】
しかし、フリッカ調整には熟練を要し、また、パネル面の目視に基づき長時間に渡って調整作業を行うため、調整要員の疲労が大きい。このため、時間とともにフリッカ調整にバラツキが発生する。また、製造中に調整要員の交代をするのが通常であるため、異なった調整要員間でのフリッカ調整量のバラツキも生じる。この結果として、最終的な液晶パネル製品のフリッカ量にバラツキが生じることになる。
【０００４】
したがって、本発明の目的は、フラット・ディスプレイのフリッカ・バランスの調整を容易に行えるようにする、フリッカ・バランス調整方法および装置を提供することである。
【０００５】
また、本発明の別の目的は、フリッカ・バランス調整をより客観的な基準に基づいて行えるようにする、フリッカ・バランス調整方法および装置を提供することである。
【０００６】
さらに、本発明の別の目的は、フリッカ・バランス調整をより高速で行えるようにするフリッカ・バランス調整方法および装置を提供することである。
さらに、本発明の別の目的は、上記のフリッカ・バランス調整を含むフラット・ディスプレイのフリッカ全体の調整を行うフリッカ調整方法および装置を提供することである。
【０００７】
【課題を解決するための手段】
上記目的を達成するため、本発明によれば、フラット・ディスプレイのフリッカ・バランスを調整するフリッカ・バランス調整方法は、イ）前記フラット・ディスプレイ上の概して中央の点を通る概して１つの線上の互いに離間した第１の点と第２の点におけるフリッカ値を測定するフリッカ値測定ステップであって、前記第１点と前記第２点は、前記中央点の互いに反対側にある、前記のフリッカ値調整ステップと、ロ）前記第１点のフリッカ値と前記第２点のフリッカ値との差を得る差獲得ステップと、ハ）前記差に基づいて前記フリッカ・バランスを調整する調整ステップと、から成る。
【０００８】
前記フリッカ値測定ステップは、イ）前記フラット・ディスプレイ上で、前記１つの線を複数の異なった方向にしたときにおける、前記第１点と第２点のフリッカ値の対を複数得るステップと、ロ）前記複数対の内、前記第１点のフリッカ値と前記第２点のフリッカ値との差が最大となる対が得られる方向の前記１つの線を決定するステップと、を含むようにできる。さらに、前記１つの線の方向は、矩形の前記フラット・ディスプレイの２つの対角方向、水平方向のいずれかを少なくとも含むようにできる。
【０００９】
前記フリッカ値測定ステップは、イ）前記フラット・ディスプレイ全面のフリッカ値の分布を得るステップと、ロ）前記フリッカ値分布中の最大点と最小点を含む方向の前記の１つの線を決定するステップと、を含むようにできる。
【００１０】
また、前記調整ステップは、前記差が第１の所定のしきい値以下になる方向に調整するステップ、を含むことができる。
さらに、本発明によれば、フラット・ディスプレイのフリッカ調整を行うフリッカ調整方法は、上記のフリッカ・バランス調整方法の前に、イ）前記フラット・ディスプレイ上の前記中央点におけるフリッカ値を測定するステップと、ロ）前記中央点におけるフリッカ値が第２の所定のしきい値以下となるように前記フラット・ディスプレイを調整するステップと、を含む。
【００１１】
また、本発明によれば、フラット・ディスプレイのフリッカ・バランスを調整するフリッカ・バランス調整装置は、イ）前記フラット・ディスプレイ上の概して中央の点を通る概して１つの線上の互いに離間した第１の点と第２の点上のそれぞれの輝度を検出して第１と第２の輝度信号を発生する、第１と第２の光センサであって、前記第１点と前記第２点は前記中央点の互いに反対側にあり、前記の第１と第２の光センサと、ロ）前記第１と第２の輝度信号から、前記第１点の第１のフリッカ値と前記第２点の第２のフリッカ値を得て、これらフリッカ値の差を得るフリッカ・バランス測定回路と、から成る。
【００１２】
また、本発明によれば、フラット・ディスプレイのフリッカ調整を行うフリッカ調整装置は、上記のフリッカ・バランス調整装置に加えて、イ）前記フラット・ディスプレイ上の前記中央点上の輝度を検出して第３の輝度信号を発生する第３の光センサと、ロ）前記第３輝度信号から前記中央点における第３のフリッカ値を得るフリッカ値測定回路と、を含む。
【００１３】
前記第１、第２および第３のセンサは、直線の支持部材上に可動に配置したものとすることができる。前記支持部材は、前記フラット・ディスプレイの面上で可動に配置することができる。
【００１４】
【発明の実施の形態】
以下、本発明の実施形態について、図面を参照して説明する。
図１は、本発明によるフリッカ調整装置の基本構成を示すブロック図である。図示のフリッカ調整装置は、フラット・ディスプレイ１０のフリッカ調整のため、フリッカ値測定部１２とフリッカ・バランス測定部１４とから成っている。フリッカ値測定部１２は、１つの光センサ１２０と、そしてこれに接続したフリッカ値測定回路１２２とから構成している。フリッカ・バランス測定部１４は、２つの光センサ１４０と１４２と、そしてこれらに接続したフリッカ・バランス測定回路１４４とから構成している。フラット・ディスプレイ１０は、液晶パネル、プラズマ・ディスプレイ・パネル等のようなディスプレイであって、通常、矩形のパネル面１００を有している。上述のように、このフラット・ディスプレイ１０においては、パネル面１００上におけるフリッカ値は、一定ではなく、パネル面上に渡って変化している。光センサ１２０は、このパネル面１００のほぼ中央の位置Ａに配置し、そして光センサ１４０と１４２は、右上がりの対角線１０２上で、右上隅の位置Ｂと左下隅の位置Ｃにそれぞれ配置している。これら光センサは、各センサのパネル面上の位置Ａ，Ｂ，Ｃにおける輝度を検知し、そしてこの輝度を表す輝度信号Ｌａ，Ｌｂ，Ｌｃを発生する。
【００１５】
光センサ１２０からの輝度信号Ｌａを受けるフリッカ値測定回路１２２は、この輝度信号から位置Ａ上におけるフリッカ値Ｆａを得る。一方、フリッカ・バランス測定回路１４４は、光センサ１４０，１４２からの輝度信号Ｌｂ，Ｌｃを受け、そしてこれら各輝度信号からＢ点およびＣ点のフリッカ値Ｆｂ，Ｆｃを得、そしてさらにこれらフリッカ値の差分Ｆｄ（＝｜Ｆｂ−Ｆｃ｜）を得る。このフリッカ値Ｆａとフリッカ値差分Ｆｄとは、フリッカ値調整要員による手動調整のため調整要員に対し指示器等で指示したり、あるいはフリッカ自動調整のためそのフリッカ値を表す信号として出力したりすることができる。尚、輝度信号からフリッカ値を得る方法について、従来の公知の方法を使用すれば良い。
【００１６】
次に、図２を参照して、本発明をより具体化したフリッカ調整装置を示す。したがって、図１の装置と同様の部分には同様の番号を付してある。この図２に示したフリッカ調整装置は、大きく分けて、図１と同様に、液晶パネル１０Ａのフリッカ調整のため、フリッカ値測定部１２Ａとフリッカ・バランス測定部１４Ａとから成っている。フリッカ値測定部１２Ａは、１つの光センサ１２０Ａと、そしてこれに接続したフリッカ値測定回路１２２Ａとから構成している。フリッカ・バランス測定部１４Ａは、２つの光センサ１４０Ａと１４２Ａと、そしてこれらに接続したフリッカ・バランス測定回路１４４Ａ、差分検出部１４４４と、表示部１４４６と、から構成している。液晶パネル１０Ａは、矩形のパネル面１００Ａを有している。図２では正確に示していないが、光センサ１２０Ａは、このパネル面１００Ａのほぼ中央の位置Ａ（図１参照）に配置し、そして光センサ１４０Ａと１４２Ａは、右上がりの対角線１０２（図１参照）上で、右上隅の位置Ｂと左下隅の位置Ｃにそれぞれ配置している。これら光センサは、図１と同様に輝度信号Ｌａ，Ｌｂ，Ｌｃを発生する。
【００１７】
光センサ１２０からの輝度信号Ｌａを受けるフリッカ値測定回路１２２Ａは、位置Ａの輝度信号Ｌａからフリッカ値Ｆａを得る回路部１２２０と、この得たフリッカ値Ｆａの表示部１２２２と、から成っている。回路部１２２０は、詳細には、輝度信号Ｌａを増幅する増幅器１２２００と、この増幅輝度信号を自動利得制御あるいはスケーリングによって自動利得制御回路内に設けた基準値Ｖｒに対し正規化する自動利得制御（ＡＧＣ）回路１２２０２と、この回路からの出力からＡＣ成分をフィルタリング等によって抽出するＡＣ成分分離回路１２２０４と，そしてこの分離して得たＡＣ成分を検波してＡＣ成分のピーク・ピーク値を表すＤＣ電圧を出力する検波回路１２２０６と、から成っている。このＤＣ電圧がフリッカ値Ｆａとなる。
【００１８】
フリッカ値の測定は、液晶パネルの個体差（バックライトの明るさのバラツキ）並びに検査に使用する画像パターンの平均輝度とによりパネル面輝度が異なるため、輝度信号の内のＤＣ成分の値、すなわちパネル面輝度成分Ｖｄｃと、輝度信号のＡＣ成分（３０Ｈｚ）のピーク・ピーク値、すなわちフリッカ成分Ｖｆを読み取り、そしてこれらの比すなわちＶｆ／Ｖｄｃを計算することにより行う。自動利得制御回路１２２０２による正規化により、Ｖｄｃを一定の基準値Ｖｒに一致させるよう利得制御することにより、そのときのＶｆがそのままフリッカ値となるようにすることができる。この正規化については、本願出願人による特願平11-172837号に開示されている。尚、本発明では、この正規化は省略することもできる。
【００１９】
フリッカ・バランス測定回路１４４Ａは、光センサ１４０Ａ，１４２Ａからの輝度信号Ｌｂ，Ｌｃからそれぞれフリッカ値Ｆｂ，Ｆｃを発生する回路部１４４０と１４４２を含んでおり、これら各回路部１４４０と１４４２とは、回路部１２２０と同じ回路構成であって、位置Ｂ（またはＣ）の輝度信号Ｌｂ（またはＬｃ）を増幅する増幅器１４４００（または１４４２０）と、この増幅輝度信号を自動利得制御あるいはスケーリングによって自動利得制御回路内に設けた基準値Ｖｒに対し正規化する自動利得制御（ＡＧＣ）回路１４４０２（または１４４２２）と、この回路からの出力からＡＣ成分をフィルタリング等によって抽出するＡＣ成分分離回路１４４０４（または１４４２４）と，そしてこの分離して得たＡＣ成分を検波してＡＣ成分のピーク・ピーク値を表すＤＣ電圧を出力する検波回路１４４０６（または１４４２６）と、から成っている。これらＤＣ電圧がフリッカ値Ｆｂ，Ｆｃとなる。これら両方のフリッカ値を受ける次の差分検出部１４４４は、図１で説明したように、フリッカ・バランスの度合いを表すため、フリッカ値の差分Ｆｄ（＝｜Ｆｂ−Ｆｃ｜）を発生する。この差分Ｆｄは、次の表示部１４４６で表示する。
【００２０】
図３には、あるサンプルの液晶パネルについて、フリッカ最大時（図３（ａ））とフリッカ最小時（図３（ｂ））とにおけるパネル面位置Ａ，Ｂ，Ｃにおける輝度信号Ｌａ，Ｌｂ，Ｌｃの波形を示している。これから判るように、フリッカが大きいときには、各輝度信号の振幅が大きく、また位相がＢ，Ａ，Ｃの順にずれていっているのが判る。目視によるフリッカ調整によりフリッカを最小とした場合には、各輝度信号の振幅は小さくなっていることが判る。
【００２１】
次に、図４のフローチャートを参照して、図２のフリッカ調整装置を使用しての液晶パネル１０Ａのフリッカ調整の方法について説明する。先ず初めに、ステップ２００で、Ａ点のフリッカ値Ｆａを、表示部１２２２の指示を見ながら、所定のしきい値α以下となるように、液晶パネル１０Ａのちらつき調整のための対向電極入力電圧Ｖcomを調節する。次にステップ２０２で、Ｂ点とＣ点のフリッカ差分値Ｆｄを、表示部１４４６の指示を見ながら所定のしきい値β（例えば、ＦｂまたはＦｃ大きさの１０パーセント以下）となるように対向電極入力電圧Ｖcomを調整する。次に、判断ステップ２０４で、このときのＡ点のフリッカ値Ｆａが依然としてしきい値α以下であるかチェックする。ＹＥＳの場合には、この液晶パネルは、フリッカ調整が合格となる。ＮＯの場合には、次の判断ステップ２０６で、調整回数がｎ回未満であるかどうかチェックし、そしてｎ回未満でＹＥＳの場合には、ステップ２００に戻って、上記のステップを繰り返す。尚、ｎの値は、ユーザが適宜選択すれば良い。判断ステップ２０６において、ｎ回となってＮＯの場合となったときには、この液晶パネルは、不合格となり、廃棄されることになる。尚、判断ステップ２０６では、回数で判断を行うが、調整に要した時間で判断するように変更することもできる。また、フリッカ調整要員による手動調整の場合には、このステップ２０６を省いて単にステップ２００へのループとしても良い。
【００２２】
次に、図５を参照して、パネル面１００Ａ上における輝度検出位置Ａ，Ｂ，Ｃの配置すなわち光センサ配置について説明する。図１および図２の実施形態では、図５（ａ）の右上がりの対角線１０２ａでの配置を選択しているが、図５（ｂ）および（ｃ）に示すように、パネル面中央を通る右下がりの対角線１０２ｂでの配置、あるいはパネル面中央を通る水平線１０２ｃでの配置を選択することもできる。これら異なった光センサ配置は、フリッカ・バランス調整を適切に行うためには、最適なものを選択する必要がある。その理由は、ある１つの型番または機種の液晶パネルと別の型番または機種の液晶パネルとでは、パネル面上におけるフリッカ値の分布状態が異なっていることが知られているからである。この異なった配置列の選択は、３つの光センサを１つの直線上の支持部材に、この支持部材の長手方向に可動な形式で配置してセンサ間の距離を調節できるようにし、しかもこの支持部材全体を、パネル面上で２つの対角方向、水平方向等に向くように可動な配置とすることことにより、配置列間の選択ができる。
【００２３】
図６は、ある液晶パネル（以下パネルＡと呼ぶ）について、フリッカ最大時における矩形のパネル面１００Ａにおける２次元のフリッカ値分布を示しており、そして図７は、このときのフリッカ値分布を立体図で示している。図７に判りやすく示しているように、フリッカ値は、Ｃ点からＢ点の方に向かってフリッカ値が大きくなっている。このようなフリッカ値分布の場合には、フリッカ・バランス調整のためには、図５（ｂ）および（ｃ）のような配置よりも、図５（ａ）に示した配置が最も有効である。
【００２４】
図８と図９には、このパネルＡについて目視調整によりフリッカを最小に調整したときのフリッカ値分布を示している。図９から判るように、点Ｂと点Ｃ間のフリッカ値の差は減少している。尚、図９では、図７と比べ、スケールを拡大してあることに注意されたい。
【００２５】
次に、図１０および図１１に、別の型番の液晶パネル（以下パネルＢと呼ぶ）について、目視調整によりフリッカを最小にしたときのフリッカ値分布を示している。このパネルＢでも、図５（ａ）の配置が有効であるが、この場合には、図５（ｂ）の水平配置も使用することができる。このように、液晶パネルの型番が異なれば、光センサ配置も選択し直す必要がある。
【００２６】
図１２には、図５とは別の光センサ配置例を示している。すなわち、図１２（ａ）は、図５（ａ）と（ｂ）を組み合わせて５点式のセンサ配置としたものであり、センサ配置列１０２ａ’とセンサ配置列１０２ｂ’とのいずれか一方を選択して使用することができる。また、この配置では、それら双方の配置列１０２ａ’と１０２ｂ’を使用することもできる。図１２（ｂ）は、図５（ａ）、（ｂ）および（ｃ）の全てを組み合わせて７点式のセンサ配置としたものであり、センサ配置列１０２ａ”と、センサ配置列１０２ｂ”と、センサ配置列１０２ｃ’とのいずれか１つを選択して使用することができる。上記と同様、この配置では、それら全ての配置列を使用することもできる。
【００２７】
図１３は、図１２（ａ）の５点式光センサ配置において、いずれか一方の配置列を選択する方法のフローチャートを示す。図示のように、この方法は、先ずステップ３００で、中央すなわちセンターの点Ａのフリッカ値を最小となるように、液晶パネルの対向電極入力電圧Ｖcomを調節する。次のステップ３０２において、各対角配置列１０２ａ’と１０２ｂ’とにおけるフリッカ・バランスのチェックを行い、フリッカ値差分Ｆｄを得る。次に、ステップ３０４で、これら差分の内大きい方の配置列すなわち対角線を判断してそれを選択する。差分の大きい方の対角の方が、フリッカ・バランス調整に最も有効だからである。これにより、選択した配置列の下、図４で説明したフリッカ・バランス／センター・フリッカ値の調整を行うことになる。尚、この光センサ配置列選択は、通常の量産ラインでは、異なる機種が混在していることはまれであるため、最初の１枚の液晶パネルについてのみ行うこともできる。さらに、図１２（ｂ）の７点式光センサ配置に図１３の方法を適用する場合には、水平配置列１０２ｃ’についてもフリッカ・バランスのチェックを行うようにすれば良い。
【００２８】
また、上記実施形態においては、フリッカ値調整要員による手動調整について特に説明したが、調整要員によらずに自動調整を行うことも可能である。
【００２９】
【発明の効果】
以上に詳細に説明した本発明のフリッカ調整方法および装置によれば、フリッカ調整のために必要なディスプレイ注視時間を短縮することができるため、ちらついた画面を見ることによる調整要員の疲労を軽減することができ、したがって従来と比べより容易に調整を行うことができる。また、一定の基準値を使用することによりフリッカ調整を行うため、調整要員間の調整量のバラツキ、各調整要員の経時的なバラツキを最小限にでき、したがってより客観的な調整を可能とすることができる。さらにまた、この客観的な基準値を使用することによって、調整を従来と比べ素早く行うことも可能である。さらに、本発明の方法を用いてフリッカ調整を自動化すれば、より高速で調整を完了することができる。
【図面の簡単な説明】
【図１】本発明によるフリッカ調整装置の基本構成を示すブロック図。
【図２】図１の装置をより具体化したフリッカ調整装置の実施形態を示す図。
【図３】あるサンプルの液晶パネルのパネル面位置Ａ，Ｂ，Ｃにおける輝度信号Ｌａ，Ｌｂ，Ｌｃについて、（ａ）はフリッカ最大時そして（ｂ）フリッカ最小時における波形を示す図。
【図４】図２のフリッカ調整装置を使用しての液晶パネルのフリッカ調整の方法を示すフローチャート。
【図５】（ａ），（ｂ），（ｃ）は、パネル面上における異なった光センサ配置を示す図。
【図６】液晶パネルＡについて、フリッカ最大時における矩形のパネル面における２次元のフリッカ値分布を示す図であり、図中の値の単位は％である。
【図７】図６のフリッカ値分布を立体的に示す図。
【図８】パネルＡについて目視調整によりフリッカを最小に調整したときのフリッカ値の２次元分布を示す図。
【図９】図８のフリッカ値分布を立体的に示す図。
【図１０】液晶パネルＡとは別の型番の液晶パネルＢについて、目視調整によりフリッカを最小にしたときの２次元のフリッカ値分布を示す図。
【図１１】図１０のフリッカ値分布を立体的に示す図。
【図１２】図５とは異なった光センサ配置例を示す図。
【図１３】図１２（ａ）の５点式光センサ配置において、いずれか一方の配置列を選択する光センサ配置列選択方法を示すフローチャート。
【符号の説明】
１０，１０Ａ  フラット・ディスプレイ
１２，１２Ａ  フリッカ値測定部
１４，１４Ａ  フリッカ・バランス測定部
１００，１００Ａ  パネル面
１２０，１４０，１４２  光センサ
１２２，１２２Ａ  フリッカ値測定回路
１４４，１４４Ａ  フリッカ・バランス測定回路
Ｌａ，Ｌｂ，Ｌｃ  輝度信号
Ｆａ，Ｆｂ，Ｆｃ  フリッカ値
Ｆｄ  フリッカ値差分
【図１】
0004422253.tif 000002
【図２】
0004422253.tif 000003
【図３】
0004422253.tif 000004
【図４】
0004422253.tif 000005
【図５】
0004422253.tif 000006
【図６】
0004422253.tif 000007
【図７】
0004422253.tif 000008
【図８】
0004422253.tif 000009
【図９】
0004422253.tif 000010
【図１０】
0004422253.tif 000011
【図１１】
0004422253.tif 000012
【図１２】
0004422253.tif 000013
【図１３】
0004422253.tif 000014